(57)【特許請求の範囲】
【請求項１】
モータと、モータの駆動軸に連結される回転羽根と、回転羽根を収容するポンプハウジングとを有する排水ポンプであって、
回転羽根は、モータの駆動軸に連結される軸部と、軸部の外周から径方向へ延びる複数の平板状の大径羽根と、大径羽根に連続して形成される平板状の小径羽根とを備え、
大径羽根の外周部を連結する外側円筒壁部材と、大径羽根の上縁部に沿って外側円筒壁部材の上端部から径方向内側へ延びる環状部材と、
環状部材の内周端から外側円筒部材に対向して延びる内側円筒壁部材によって形成される空間を設けてなる排水ポンプ。
【請求項２】
モータと、モータの駆動軸に連結される回転羽根と、回転羽根を収容するポンプハウジングとを有する排水ポンプであって、
回転羽根は、モータの駆動軸に連結される軸部と、軸部の外周から径方向へ延びる複数の平板状の大径羽根と、大径羽根に連続して形成される平板状の小径羽根とを備え、
大径羽根の外周部を連結する外側円筒壁部材と、大径羽根の上縁部に沿って外側円筒壁部材の上端部から径方向内側へ延びる環状部材によって形成される空間を設けてなる排水ポンプ。
【発明の詳細な説明】
【０００１】
【発明の属する技術分野】
本発明は排水ポンプ、特に空調機に装備される排水ポンプに関する。
【０００２】
【従来の技術】
空調機の室内ユニットは、冷房運転時に熱交換器に空気中の水分が凝縮して付着し、熱交換器の下方に設けられるドレンパン内に滴下する。このドレンパン内に溜ったドレン水を排水するために排水ポンプが装備される。この排水ポンプに関しては、従来各種のものが提案されており、この種のポンプとして次のものがある。即ち、下部に吸込口を形成し、上部を開口すると共に、側方に吐出口を設けたハウジング内に羽根を回転自在に設け、この羽根をハウジングの開口の上部にカバーを介して固定したモータにより回転させている。そのモータの回転軸は、カバーを回転自在に貫通して羽根の軸部に連結され、上記カバーには大気とハウジングとを連通する貫通孔が設けられている。これにより、モータを駆動して、羽根が回転すると、ドレンパン内に貯溜したドレン水は、吸込口の羽根の下端から吸込まれ、遠心力により、ハウジング内面に沿って揚水され、ケーシングの吐出口から外部に吐出される。
【０００３】
【発明が解決しようとする課題】
かかる従来の排水ポンプにおいては、ドレン水が流入して排水が始まると騒音が発生する問題点を有している。これは、羽根の周囲に液体内から気泡が発生し、この気泡の羽根やハウジングの内面等への衝突に基づくものである。
本発明は上記問題点を解消する排水ポンプを提供するものである。
【０００４】
【課題を解決するための手段】
本発明の排水ポンプに使用されるモータと、モータの駆動軸に連結される回転羽根と、回転羽根を収容するポンプハウジングとを有する排水ポンプであって、回転羽根は、モータの駆動軸に連結される軸部と、軸部の外周から径方向へ延びる複数の平板状の大径羽根と、大径羽根に連続して形成される平板状の小径羽根とを備え、大径羽根の外周部を連結する外側円筒壁部材と、大径羽根の上縁部に沿って上記円筒壁部材と連続して外側円筒壁部材の上端部から径方向内側へ延びる環状部材と、環状部材の内周端から環状部材に連続して外側円筒壁部材に対向して延びる内側円筒壁部材によって形成される空間を設けてなるものである。また、この回転羽根は、モータの駆動軸に連結される軸部と、軸部の外周から径方向へ延びる複数の平板状の大径羽根と、大径羽根に連続して形成される平板状の小径羽根とを備え、大径羽根の外周部を連結する外側円筒壁部材と、大径羽根の上縁部に沿って外側円筒壁部材の上端部から径方向内側へ延びる環状部材によって形成される空間を設けてなるものでもよい。
【０００５】
【作用】
かかる羽根を備えた排水ポンプは、上記部材によって形成される空間により、上記気泡によって発生する騒音を遮蔽することとなり、騒音は減少する。
【０００６】
【発明の実施の形態】
図１は、本発明の排水ポンプの全体構成を示す一部を断面とした側面図である。
全体を符号１で示す排水ポンプは、モータ１０と、モータ１０に対して下方にブラケット２０を介してとりつけられるポンプ本体３０とを有する。ブラケット２０は、ポンプハウジングの上部部材であるカバー３２と一体に形成され、カバー３２はシール部材３４を介してハウジング４０に連結される。
ハウジング４０は、プラスチックでつくられるもので、吸込口４２、ポンプ室４４、吐出口４６を有する。
【０００７】
ポンプハウジング４０内に装備される回転羽根５０は、軸部５２と、軸部５２の中心軸を中心として径方向へ突出する複数の平板からなる小径羽根５４を有する。
本実施例にあっては、４枚の小径羽根５４を有する。
軸部５２は、カバー３２の中央に形成される貫通穴３６を通ってモータ１０側へ突出し、軸部５２に設けた穴にモータ１０の駆動軸１２が挿入される。軸部５２の上面には水切円板１４をとりつけて、カバー３２の貫通穴３６から噴出するドレン水がモータ１０側へ飛散するのを防止する。
【０００８】
回転羽根５０の小径羽根５４は、ポンプハウジング４０のパイプ状の吸入口４２内に挿入される。吸込口４２の吸込端部４３は、開口端に向かって内径寸法が絞られるテーパ面に形成されており、小径羽根５４の先端部も先細りのテーパ面５６に形成されている。ポンプハウジング４０のポンプ室４４内には回転羽根５０の大径羽根６０が収容される。
【０００９】
図２は回転羽根５０の側面図、図３は上面図、図４は下面図、図５は図３のＡ−Ａ断面図、図６は図３のＤ−Ｄ断面図、図７は図３のＥ−Ｅ断面図、図８は図７のＦ部の詳細図、図９は図７のＦ部の詳細図であって、他の構成例を示すものである。
【００１０】
回転羽根５０は軸部５２と、軸部５２の外周部から放射状に外方へ延びる平板状の大径羽根６０と、大径羽根６０の下端部にテーパ面５７を介して連続する小径羽根５４とを有する。本実施例にあっては、大径羽根６０及び小径羽根５４は樹脂により一体的に構成され、それぞれ４枚の平板であるが、その枚数は適宜に選択される。
軸部５２の中心には、モータの駆動軸を挿入するための穴５３が設けてあり、また、小径羽根５４の先端部は先細りのテーパ面５６に形成される。このテーパ面５６の傾斜角は、例えば６０度に形成される。
【００１１】
大径羽根６０の外周部には、リング状の閉空間７０が形成される。この空間７０は、ドレン水がポンプハウジングのカバー３２側へ飛散するのを防止するとともに、回転羽根５０とドレン水が接触することによって生ずる騒音が外部へもれることを遮蔽するために設けられるものである。
【００１２】
図８に詳細を示すように、この空間７０は、平板状の大径羽根６０の外周部を覆う外側円筒壁部材６４と、この円筒壁部材６４の上端部から大径羽根６０の上縁に沿って円筒壁部材６４と連続して内側へ延びる環状部材６２と、環状部材６２の内周端から環状部材６２に連続して下側へ延びて、外側円筒壁部材６４に対向する内側円筒壁部材６６とで囲まれて形成される。
大径羽根６０の間には外側円筒壁部材６４から内側へ延びる補助羽根６８が設けられ、ドレン水の揚程能力を助成する。
回転羽根５０の回転によりエネルギーを付与されたドレン水は、吸込口４２からポンプ室４４のテーパ面４５に沿ってスムーズに吸出口４６側へ圧送される。大径羽根６０の周囲に発生する気泡による騒音は空間７０によって遮蔽され、騒音は減少する。
【００１３】
図９は、空間７０を大径羽根の外周部に配設される外側円筒壁部材６４と大径羽根の上縁部に配設される環状部材６２で形成し、内側円筒壁部材６６を省略したものである。
これにより、空間７０にゴミ例えば繊維状のゴミがドレン異物として詰ったり、付着堆積することを防止することができ、しかも騒音を遮蔽することができる。
【００１４】
【発明の効果】
本発明の排水ポンプは以上のように、平板状の大径羽根と大径羽根に連続する平板状の小径羽根とを有する回転羽根を備え、この回転羽根の大径羽根の外周部に空間を設けて、これにより騒音を遮蔽し、騒音を低減できる。
【図面の簡単な説明】
【図１】本発明の排水ポンプを一部断面にして示す側面図。
【図２】回転羽根の側面図。
【図３】回転羽根の上面図。
【図４】回転羽根の下面図。
【図５】図３のＡ−Ａ断面図。
【図６】図３のＤ−Ｄ断面図。
【図７】図３のＥ−Ｅ断面図。
【図８】図７のＦ部の詳細図。
【図９】図７のＦ部の他の構成例を示す詳細図。
【符号の説明】
１  排水ポンプ
１０  モータ
２０  ブラケット
３０  ポンプ本体
３２  カバー
３６  貫通穴
４０  ポンプハウジング
４２  吸込口
４４  ポンプ室
４６  吐出口
５０  回転羽根
５４  小径羽根
６０  大径羽根
６２  環状部材
６４  外側円筒壁部材
６６  内側円筒壁部材
７０  空間
【図１】
0003580327.tif 000002
【図２】
0003580327.tif 000003
【図３】
0003580327.tif 000004
【図４】
0003580327.tif 000005
【図５】
0003580327.tif 000006
【図６】
0003580327.tif 000007
【図７】
0003580327.tif 000008
【図８】
0003580327.tif 000009
【図９】
0003580327.tif 000010